(57)【要約】【課題】温風の吹き出し方向を暖房運転時と乾燥運転時とで容易に変更可能とする。【解決手段】浴室暖房乾燥装置２は、空気流を発生する送風ファン２１、前記空気流を加熱する電気ヒータ２２、加熱された空気流を吹き出す吹き出しグリル２３及びシャッタ部材２４を備える。吹き出しグリル２３は、異なる方向（矢印ａ、ｂ）に空気流を向かわせる第１及び第２送風路２３２を備える。第１送風路２３１は、第１ハンガーパイプ３１の架設位置を通して、浴槽方向へ空気流を向かわせる。第２送風路２３２は、第２ハンガーパイプ３２の架設位置を通して、洗い場として使用される床面１２へ空気流を向かわせる。シャッタ部材２４は、第１及び第２送風路２３１、２３２の双方を開放状態とする開放姿勢と、第１及び第２送風路２３１、２３２の少なくとも一方を閉止状態とする閉止姿勢との間で姿勢変更可能な部材である。【選択図】図３
2012241924.tif 000002
【特許請求の範囲】
【請求項１】
浴室の天井面裏に配置され、前記天井に設けられた吹き出し口を通して前記浴室内へ送り込む空気流を発生する送風手段と、
前記空気流を加熱する電気ヒータと、
前記吹き出し口に配置されて前記空気流の方向を定めるグリルであって、前記浴室内の第１位置に前記空気流を向かわせる第１送風路と、前記浴室内の前記第１位置とは異なる第２位置に前記空気流を向かわせる第２送風路とを含むグリルと、
前記第１及び第２送風路の双方を開放状態とする開放姿勢と、前記第１及び第２送風路の少なくとも一方を閉止状態とする閉止姿勢との間で姿勢変更可能に、前記グリルに添設されるシャッタ部材と、
を備える電気式浴室暖房乾燥装置。
【請求項２】
請求項１に記載の電気式浴室暖房乾燥装置において、
前記第１位置が前記浴室内の浴槽であり、前記第２位置が前記浴室内の洗い場である、電気式浴室暖房乾燥装置。
【請求項３】
請求項２に記載の電気式浴室暖房乾燥装置において、
前記浴室は、断面構造でみて第１側壁面、前記浴槽、前記洗い場及び第２側壁面が順次配置され、前記吹き出し口が前記浴槽の上方に配置され、前記吹き出し口の下方であって前記第１側壁面寄りの位置に架設される第１干し竿と、前記吹き出し口の下方であって前記洗い場寄りの位置に架設される第２干し竿とが並置される構造を備えるものであって、
前記第１送風路は、前記第１干し竿の架設位置を通して前記浴槽に前記空気流を向かわせるものであり、
前記第２送風路は、前記第２干し竿の架設位置を通して前記洗い場に前記空気流を向かわせるものである、電気式浴室暖房乾燥装置。
【請求項４】
請求項１〜３のいずれかに記載の電気式浴室暖房乾燥装置において、
前記グリルは、上面と下面とを備え、前記上面には前記第１送風路の第１入口及び前記第２送風路の第２入口が配置され、前記下面には前記第１送風路の第１出口及び前記第２送風路の第２出口が配置され、
前記シャッタ部材は、前記グリルの上面にスライド移動可能に配置され、前記第１入口又は第２入口を閉塞可能なシャッタ板と、前記第１入口及び第２入口を開放させる開口部とを備え、前記開放姿勢のとき、前記開口部が前記第１入口及び第２入口の上に位置し、前記閉止姿勢のとき、前記シャッタ板が前記第１入口又は第２入口の上に位置するようスライド移動される、電気式浴室暖房乾燥装置。
【請求項５】
請求項４に記載の電気式浴室暖房乾燥装置において、
前記シャッタ部材をスライド移動させる駆動力を発生する駆動手段をさらに備える、電気式浴室暖房乾燥装置。
【請求項６】
請求項５に記載の電気式浴室暖房乾燥装置において、
前記送風手段、前記電気ヒータ及び前記駆動手段の動作を制御する制御手段をさらに備え、
前記制御手段は、当該電気式浴室暖房乾燥装置の運転モードとして、
前記開口部が前記第１入口及び第２入口の上に位置するよう前記シャッタ部材をスライド移動させると共に、前記送風手段及び前記電気ヒータを動作させる乾燥モードと、
前記シャッタ板が前記第１入口の上に位置するよう前記シャッタ部材をスライド移動させると共に、前記送風手段及び前記電気ヒータを動作させる暖房モードと、
を実行させることが可能である、電気式浴室暖房乾燥装置。
【請求項７】
請求項６に記載の電気式浴室暖房乾燥装置において、
前記制御手段は、前記運転モードとして、さらに、
前記シャッタ板が前記第２入口の上に位置するよう前記シャッタ部材をスライド移動させると共に、前記送風手段を動作させる一方で前記電気ヒータを非動作状態とする涼風モードを実行させることが可能である、電気式浴室暖房乾燥装置。
【発明の詳細な説明】
【技術分野】
【０００１】
本発明は、ユーザが入浴中の浴室内を暖房する暖房機能、及び浴室内に干された洗濯物を乾燥させる乾燥する機能を備えた電気式の浴室暖房乾燥装置に関する。
【背景技術】
【０００２】
近年、新築されるマンション等の新築集合住宅の浴室のほぼ１００％、新築戸建て住宅の浴室の約７０％に、浴室暖房乾燥装置が付設されるに至っている。浴室暖房乾燥装置は、浴室内に温風を吹き出すことで浴室内の暖房及び浴室内に干された洗濯物の乾燥を行う装置であって、電気式の浴室暖房乾燥装置にあっては空気流を加熱する熱源として電気ヒータを備える。電気式浴室暖房乾燥装置は、通常浴室の天井裏に設置され、前記暖房及び乾燥を行うための温風は、天井面の吹き出し口に組み付けられたグリルを通して浴室内に吹き出される。グリルは、温風の風向きを定める部材であり、複数枚の風向板を備える。
【０００３】
前記電気ヒータは、前記吹き出し口付近の通風路内に配置され、その温度は１００℃を超過する。このような高温の前記電気ヒータで加熱された空気流は８０℃〜９０℃にまで昇温される。この温度は、温水を熱源とするガス式の浴室暖房乾燥装置と比べて相当高い。このため、電気ヒータの下流に配置される前記グリルには耐熱性が求められる。グリルの形成材料としては、成形性、腐食性及びコスト等を考慮して樹脂材料が選ばれるが、一般に耐熱性を有する樹脂材料は硬質樹脂であり、硬質樹脂で形成されたグリルが汎用されている。
【０００４】
ところで、前記グリルの風向板は、洗い場に温風が向かうように設定される。これは、浴槽から出て洗い場に居るユーザに暖気感を与える暖房運転を優先して風向が決定されているためである。このため、洗濯物を乾燥させる乾燥運転時における風向としては、最適と言えない場合がある。具体的には、前記吹き出し口は浴槽の直上に配置され、洗濯物を吊り下げる干し竿は前記吹き出し口の直下付近に２本程度平行に架設されるが、前記グリルにより決定される風向は浴槽横の洗い場を指向するので、温風が前記２本の干し竿に垂下された洗濯物に均等に当たり難くなる。このことは、洗濯物の乾燥に時間を要することに繋がり、省エネの観点からは望ましくない。
【０００５】
このような問題の解決方法の一つとして、特許文献１には、複数方向に空気流を誘導する風向板を有する吹き出しグリルを備えた浴室暖房乾燥装置が提案されている。この手法によれば、温風を四方に拡散させることが可能となり乾燥運転時における乾燥効果の向上をある程度見込めるが、暖房運転時に暖気感を与える効果が希釈化する問題がある。
【０００６】
もう一つの解決方法として、グリルの風向板をスィングさせる方法がある。この手法によれば、例えば暖房運転時と乾燥運転時とで温風の風向を変更することが可能である。しかし、上述の通り電気式浴室暖房乾燥装置にあっては、硬質樹脂で形成されたグリルを用いる必要があるが、この種の硬質樹脂は比較的重いため、モータ等の駆動手段でスィングさせるには不向きである。すなわち、薄くて柔軟な比較的軽量な風向板であれば、簡易な駆動手段で当該風向板をスィングさせることができるが、耐熱性を有する硬質樹脂から成る風向板をスィングさせるには高出力のモータや大掛かりな駆動機構が必要となり、実用的ではない。このため、従来の電気式浴室暖房乾燥装置では、温風の吹き出し方向が洗い場に固定されたグリルを用いざるを得なかった。
【先行技術文献】
【特許文献】
【０００７】
【特許文献１】特開２００４−２７８９５６号公報
【発明の概要】
【発明が解決しようとする課題】
【０００８】
本発明は、上述の電気式浴室暖房乾燥装置における問題を解決するために為されたものであって、グリルの耐熱性の要請に対応しつつ、温風の吹き出し方向を暖房運転時と乾燥運転時とで容易に変更することができる電気式浴室暖房乾燥装置を提供することを目的とする。
【課題を解決するための手段】
【０００９】
本発明の一の局面に係る電気式浴室暖房乾燥装置は、浴室の天井面裏に配置され、前記天井に設けられた吹き出し口を通して前記浴室内へ送り込む空気流を発生する送風手段と、前記空気流を加熱する電気ヒータと、前記吹き出し口に配置されて前記空気流の方向を定めるグリルであって、前記浴室内の第１位置に前記空気流を向かわせる第１送風路と、前記浴室内の前記第１位置とは異なる第２位置に前記空気流を向かわせる第２送風路とを含むグリルと、前記第１及び第２送風路の双方を開放状態とする開放姿勢と、前記第１及び第２送風路の少なくとも一方を閉止状態とする閉止姿勢との間で姿勢変更可能に、前記グリルに添設されるシャッタ部材と、を備える（請求項１）。
【００１０】
この構成によれば、グリルが第１送風路及び第２送風路を備え、浴室内の互いに異なる第１位置又は第２位置に加熱された空気流（温風）を向かわせることが可能である。そして、前記開放姿勢と前記閉止姿勢との間で姿勢変更可能なシャッタ部材を備えるので、第１送風路及び第２送風路の双方、若しくは、第１送風路及び第２送風路のいずれか一方を用いて空気流を前記浴室内へ送り込むことが可能である。すなわち、グリルの風向板をスィングさせて空気流の方向を可変とするのではなく、異なる風向となる第１送風路及び第２送風路をグリルに具備させておき、シャッタ部材の姿勢変更で送風路を選択する方式であるので、極めて簡易な駆動機構で空気流の方向を可変とすることができる。
【００１１】
上記構成において、前記第１位置が前記浴室内の浴槽であり、前記第２位置が前記浴室内の洗い場であることが望ましい（請求項２）。
【００１２】
この構成によれば、暖房若しくは乾燥等の目的に応じて、それぞれに適した位置に向けて温風を向かわせることができる。
【００１３】
この場合、前記浴室は、断面構造でみて第１側壁面、前記浴槽、前記洗い場及び第２側壁面が順次配置され、前記吹き出し口が前記浴槽の上方に配置され、前記吹き出し口の下方であって前記第１側壁面寄りの位置に架設される第１干し竿と、前記吹き出し口の下方であって前記洗い場寄りの位置に架設される第２干し竿とが並置される構造を備えるものであって、前記第１送風路は、前記第１干し竿の架設位置を通して前記浴槽に前記空気流を向かわせるものであり、前記第２送風路は、前記第２干し竿の架設位置を通して前記洗い場に前記空気流を向かわせるものであることが望ましい（請求項３）。
【００１４】
この構成によれば、第１干し竿及び第２干し竿に干された洗濯物の乾燥を優先させる場合、前記シャッタ部材を開放姿勢とすることで前記第１送風路及び前記第２送風路を通して第１干し竿及び第２干し竿に向けて空気流を向かわせることができ、洗濯物の乾燥効率を高めることができる。一方、洗い場に居るユーザに暖気感を与えることを優先させる場合は、前記シャッタ部材によって前記第１送風路を閉止状態とすることで、前記第２送風路を通して前記洗い場に前記空気流を向かわせることができるので、暖房効率を高めることができる。
【００１５】
上記構成において、前記グリルは、上面と下面とを備え、前記上面には前記第１送風路の第１入口及び前記第２送風路の第２入口が配置され、前記下面には前記第１送風路の第１出口及び前記第２送風路の第２出口が配置され、前記シャッタ部材は、前記グリルの上面にスライド移動可能に配置され、前記第１入口又は第２入口を閉塞可能なシャッタ板と、前記第１入口及び第２入口を開放させる開口部とを備え、前記開放姿勢のとき、前記開口部が前記第１入口及び第２入口の上に位置し、前記閉止姿勢のとき、前記シャッタ板が前記第１入口又は第２入口の上に位置するようスライド移動されることが望ましい（請求項４）。
【００１６】
この構成によれば、シャッタ板と開口部とを備えたシャッタ部材をスライド移動させるというシンプルな構造及び駆動機構で、空気流の吹き出し方向を変更することができる。
【００１７】
この場合、前記シャッタ部材をスライド移動させる駆動力を発生する駆動手段をさらに備えることが望ましい（請求項５）。
【００１８】
また、前記送風手段、前記電気ヒータ及び前記駆動手段の動作を制御する制御手段をさらに備え、前記制御手段は、当該電気式浴室暖房乾燥装置の運転モードとして、前記開口部が前記第１入口及び第２入口の上に位置するよう前記シャッタ部材をスライド移動させると共に、前記送風手段及び前記電気ヒータを動作させる乾燥モードと、前記シャッタ板が前記第１入口の上に位置するよう前記シャッタ部材をスライド移動させると共に、前記送風手段及び前記電気ヒータを動作させる暖房モードと、を実行させることが可能であることが望ましい（請求項６）。
【００１９】
この構成によれば、制御手段が乾燥モード又は暖房モードに応じてシャッタ部材をスライド移動させ、それぞれのモードに応じて空気流の吹き出し方向を自動的に変更させることができる。
【００２０】
この場合、前記制御手段は、前記運転モードとして、さらに、前記シャッタ板が前記第２入口の上に位置するよう前記シャッタ部材をスライド移動させると共に、前記送風手段を動作させる一方で前記電気ヒータを非動作状態とする涼風モードを実行させることが可能であることが望ましい（請求項７）。
【００２１】
この構成によれば、上記涼風モードにおいて、浴槽に向けて電気ヒータで加熱されない空気流を向かわせることができる。従って、夏季等において、入浴中のユーザに対して涼感を与えることが可能となる。
【発明の効果】
【００２２】
本発明の電気式浴室暖房乾燥装置によれば、極めて簡易な駆動機構で吹き出し口から吹き出される空気流の方向を、シャッタ部材の姿勢変更によって可変とすることができるので、暖房又は乾燥の目的に応じて最適な温風の吹き出しを実現することができる。また、グリルに備えられている第１送風路及び第２送風路自体は固定的なもので足り可動させる必要がないので、比較的重い硬質樹脂等でグリルを形成することができ、耐熱性の要請を満たすことができる。
【図面の簡単な説明】
【００２３】
【図１】本発明の実施形態に係るシステムバスの構造を概略的に示す一点透視図である。
【図２】上記システムバスの断面図である。
【図３】浴室暖房乾燥装置の構成を概略的に示すブロック図である。
【図４】浴室暖房乾燥装置の暖房機能が利用されている状態を示すシステムバスの模式図である。
【図５】乾燥運転時におけるグリル及びシャッタ部材の状態を示す断面図である。
【図６】乾燥運転が実行されている状態を示すシステムバスの模式図である。
【図７】暖房運転時におけるグリル及びシャッタ部材の状態を示す断面図である。
【図８】暖房運転が実行されている状態を示すシステムバスの模式図である。
【図９】涼風（暖房）運転時におけるグリル及びシャッタ部材の状態を示す断面図である。
【図１０】涼風（暖房）運転が実行されている状態を示すシステムバスの模式図である。
【図１１】グリル及びシャッタ部材の変形例を示す断面図である。
【発明を実施するための形態】
【００２４】
以下、図面に基づいて、本発明の実施形態につき詳細に説明する。図１は、本発明の実施形態に係るシステムバスＳの構造を概略的に示す一点透視図、図２は、システムバスＳの断面図である。システムバスＳは、浴室内の暖房及び乾燥機能を備えたシステムバスであって、浴室１、浴室暖房乾燥装置２及びハンガーパイプ３を含む。
【００２５】
浴室１は、湯が張られる浴槽１１（第１位置）と、洗い場として使用される床面１２（第２位置）と、浴槽１１及び床面１２の周囲を囲む側壁面１３と、側壁面１３で囲まれた空間の上部を覆う天井面１４とを備える。側壁面１３は、奥壁面１３１（第１側壁面）、左壁面１３２、右壁面１３３及び前壁面１３４（第２側壁面）からなる。浴槽１１は奥壁面１３１の側に配置され、洗い場の床面１２は前壁面１３４の側に配置されている。
【００２６】
左壁面１３２には、物置台やテーブルを備えた鏡ユニット１５、浴室１内を照らす照明具１６、及びカラン・シャワー具１７等が取り付けられている。また、前壁面１３４には、ユーザが出入りするためのドア１８が取り付けられている。このドア１８には、通気用のガラリ１８１が備えられている。さらに、天井面１４には、浴室暖房乾燥装置２が生成する温風の浴室１内へ吹き出し、浴室１内の空気の吸い込みのための開口１４１（吹き出し口）が設けられている。この開口１４１は、浴槽１１の上方位置に対応する天井面１４に配置されている。
【００２７】
浴室暖房乾燥装置２は、浴室１内の乾燥及び暖房機能を備え、浴室１の天井面１４の裏に配置される天井ビルトインタイプのものであって、ハウジング２０、空気流を発生する送風ファン２１（送風手段）、前記空気流を加熱する電気ヒータ２２、加熱された空気流（温風）を吹き出す吹き出しグリル２３（グリル）、吹き出しグリル２３から吹き出される空気流の方向を定めるシャッタ部材２４、及び、浴室１内の空気を吸い込む吸い込みグリル２７を備えている。
【００２８】
ハウジング２０は、浴室暖房乾燥装置２の構成部材を収容するハウジングであって、天井面１４の開口１４１を上方から塞ぐように、天井面１４の裏に取り付けられている。このハウジング２０の下面に、吹き出しグリル２３及び吸い込みグリル２７が組み付けられ、ハウジング２０の内部には吸い込みグリル２７から吹き出しグリル２３に至る通風路が形成されている。この通風路内の適所に、上記の送風ファン２１及び電気ヒータ２２が配置されている。また、シャッタ部材２４は吹き出しグリル２３の上面に接して配置されている。なお、図示は省略しているが、ハウジング２０には排気口が備えられており、この排気口を開閉するダンパも備えられている。
【００２９】
ハンガーパイプ３は、被服ハンガーを支持可能な長尺のパイプであり、浴槽１１の上方空間であって開口１４１（吹き出しグリル２３）の下部近傍に固定的に配置されている。本実施形態ではハンガーパイプ３として、奥壁面１３１寄りの位置に架設される第１ハンガーパイプ３１（第１干し竿）と、これよりも床面１２寄り（洗い場寄り）の位置に架設される第２ハンガーパイプ３２（第２干し竿）とが、開口１４１の直下位置に並置されている例を示している。第１及び第２ハンガーパイプ３１、３２は、その片端が左壁面１３２で、他端が右壁面１３３で、各々ビス止め等の手段によって固定的に支持されている。
【００３０】
図３は、浴室暖房乾燥装置２の構成を概略的に示すブロック図である。ここでは、浴室暖房乾燥装置２の吹き出しグリル２３の部分を主に示しており、吸い込みグリル２７の部分については省いている。また、吹き出しグリル２３から吹き出される温風と洗濯物との関係を示すために、第１及び第２ハンガーパイプ３１、３２も併記している。なお、第１及び第２ハンガーパイプ３１、３２には、浴室１が衣服類の乾燥用（乾燥モード）として利用される態様を想定して、衣服３４Ａ、３４Ｂが掛けられた被服ハンガー３３Ａ、３３Ｂのフック部分が引っ掛けられている状態を示している。
【００３１】
ハウジング２０内には、空気流の上流側から見て、送風ファン２１、電気ヒータ２２、シャッタ部材２４及び吹き出しグリル２３の順に配置されている。送風ファン２１は、回転駆動されるファンを有し、浴室１内の空気を吸い込みグリル２７を通してハウジング２０内に取り入れ、これを吹き出しグリル２３を通して浴室１内に吹き出す空気流を生成する。電気ヒータ２２は、例えばセラミックヒータ等からなり、通電されることで熱を発して前記空気流を加熱する。従って、電気ヒータ２２に通電された状態で送風ファン２１が駆動されると、吹き出しグリル２３を介して温風を浴室１内に供給することができる。
【００３２】
吹き出しグリル２３は、耐熱性を備える硬質樹脂材料にて成型された部材である。これは、電気ヒータ２２によって高温に加熱された空気が吹き出しグリル２３を通過することが予定されているからである。吹き出しグリル２３は、開口１４１に配置され、浴室暖房乾燥装置２から吹き出される空気流の方向を定める機能を有する。図３の例では、吹き出しグリル２３が異なる方向に空気流を向かわせる第１送風路２３１及び第２送風路２３２を備える例を示している。第１送風路２３１は、矢印ａで示すように、第１ハンガーパイプ３１の架設位置を通して、浴槽１１の配置位置（第１位置）へ空気流を向かわせる送風路である。また、第２送風路２３２は、矢印ｂで示すように、第２ハンガーパイプ３２の架設位置を通して、洗い場として使用される床面１２（第２位置）へ空気流を向かわせる送風路である。
【００３３】
シャッタ部材２４は、吹き出しグリル２３の第１送風路２３１及び第２送風路２３２を開放又は閉止させるために、吹き出しグリル２３に添設される部材である。具体的には、シャッタ部材２４は、第１及び第２送風路２３１、２３２の双方を開放状態とする開放姿勢と、第１及び第２送風路２３１、２３２の少なくとも一方を閉止状態とする閉止姿勢との間で姿勢変更可能に、吹き出しグリル２３の上面に対してスライド移動可能に配置されている。
【００３４】
浴室暖房乾燥装置２は、シャッタ部材２４をスライド移動させるためのモータ２５（駆動手段）を備えている。モータ２５は、図略のアイドルギア及び偏心カム等を介して駆動力をシャッタ部材２４に与え、シャッタ部材２４を必要なストロークだけスライド移動させる。なお、モータ２５に代えて、前記ストロークに応じた出没動作を行う可動片を備えたソレノイドを用いることもできる。
【００３５】
浴室暖房乾燥装置２は、さらに、浴室暖房乾燥装置２の各構成要素の動作を制御する制御部２６（制御手段）を備える。具体的には制御部２６は、送風ファン２１のＯＮ−ＯＦＦ動作の制御、電気ヒータ２２への通電動作の制御、及びシャッタ部材２４のスライド移動の制御のためのモータ２５の回転駆動動作の制御を行う。
【００３６】
制御部２６は、浴室暖房乾燥装置２が少なくとも次の（１）〜（３）の３つの運転モードで動作するように制御を行う。
（１）乾燥モード；浴室１を乾燥室として用いる運転モードであって、第１及び第２ハンガーパイプ３１、３２に吊り下げられた衣服３４Ａ、３４Ｂを乾燥させるための運転モードである。
（２）暖房モード；寒冷期において浴室１内に居るユーザに暖気を吹き当てるための運転モードであって、洗い場として使用される床面１２に向けて集中的に温風を吹き付ける運転モードである。
（３）涼風モード；温暖期において浴槽１１に浸かっているユーザに涼感を与えるための運転モードであって、浴槽に向けて涼風を吹き付ける運転モードである。
【００３７】
上記乾燥モードにおいては、制御部２６は、送風ファン２１をＯＮとし、電気ヒータ２２への通電を行うと共に、シャッタ部材２４を上記開放姿勢として、吹き出しグリル２３の第１及び第２送風路２３１、２３２の双方から温風を吹き出させる。これにより、図３に示すように、矢印ａ方向及び矢印ｂ方向の双方から温風が吹き出されるようになる。矢印ａ方向の温風は、専ら奥壁面１３１寄りの位置に架設される第１ハンガーパイプ３１の方向に向かう。従って、第１ハンガーパイプ３１に吊られた被服ハンガー３３Ａに掛けられている衣服３４Ａの乾燥に寄与する。一方、矢印ｂ方向の温風は、専ら床面１２寄りに架設される第２ハンガーパイプ３２の方向に向かう。従って、第２ハンガーパイプ３２に吊られた被服ハンガー３３Ｂに掛けられている衣服３４Ｂの乾燥に寄与する。
【００３８】
上記暖房モードにおいては、制御部２６は、送風ファン２１をＯＮとし、電気ヒータ２２への通電を行うと共に、シャッタ部材２４を上記閉止姿勢として、吹き出しグリル２３の第１送風路２３１が閉止される一方で第２送風路２３２が開放された状態とし、第２送風路２３２のみから温風を吹き出させる。これにより、吹き出しグリル２３からは矢印ｂ方向のみから温風が吹き出されることとなる。図４は、暖房モードが実行されている状態を模式的に示す図である。図示する通り、暖房モードでは床面１２に座っているユーザＰに温風Ｗが供給される。
【００３９】
上記涼風モードにおいては、制御部２６は、送風ファン２１をＯＮとする一方で電気ヒータ２２への通電は行わず、シャッタ部材２４を上記閉止姿勢として、吹き出しグリル２３の第１送風路２３１が開放される一方で第２送風路２３２が閉止された状態とし、第１送風路２３１のみから非加熱の空気流を吹き出させる。これにより、吹き出しグリル２３からは矢印ａ方向のみから温風が吹き出されることとなり、浴槽１１に向けた涼風の供給が行われる。
【００４０】
なお、上記涼風モードのシャッタ部材２４の姿勢において、電気ヒータ２２への通電を行わせれば、浴槽１１に向けて温風を供給する暖房モードとすることができる。このような暖房モードは、厳冬期において浴槽１１へ入浴中のユーザや、半身浴を行っているユーザに暖気を与えるモードとして使用することができる。
【００４１】
続いて、図５〜図１０を参照して、上記の各運転モードにおけるシャッタ部材２４の動作及び空気流の吹き出し動作について詳細に説明する。先ず、図５は、乾燥運転時（乾燥モード）における吹き出しグリル２３及びシャッタ部材２４の状態を示す断面図、図６は、乾燥運転が実行されている状態を示すシステムバスＳの模式図である。
【００４２】
吹き出しグリル２３は、上面と下面とを備える矩形状の部材である。第１送風路２３１及び第２送風路２３２は、図５の紙面に垂直な方向に延在するスリット状の通風路であり、断面視において第１送風路２３１と第２送風路２３２とがなす角は６０度程度である。吹き出しグリル２３の上面には、第１送風路２３１の第１入口２３１Ａと第２送風路２３２の第２入口２３２Ａとが配置され、下面には第１送風路２３１の第１出口２３１Ｂと第２送風路２３２の第２出口２３２Ｂとが配置されている。第１入口２３１Ａと第２入口２３２Ａとは、その側辺同士がほぼ接した状態で並置されている。一方、第１出口２３１Ｂと第２出口２３２Ｂとは、互いの風向が異なる分だけ離間して並置されている。
【００４３】
シャッタ部材２４は、吹き出しグリル２３のサイズに対応したサイズを有する矩形状の部材であって、第１入口２３１Ａ又は第２入口２３２Ａを閉塞可能なシャッタ板２４１と、第１入口２３１Ａ及び第２入口２３２Ａを開放させる開口部２４２とを備える。シャッタ板２４１は、第１入口２３１Ａ若しくは第２入口２３２Ａのスリット開口幅と同等または幅広の、図５の紙面に垂直な方向に延在する細長い平板部材である。
【００４４】
浴室暖房乾燥装置２が乾燥モードを実行するとき、吹き出しグリル２３の第１入口２３１Ａ及び第２入口２３２Ａの上に、シャッタ部材２４の開口部２４２が位置するよう、シャッタ部材２４はモータ２５によってスライド移動される。これにより、第１送風路２３１及び第２送風路２３２の双方が開放状態となり、図５に示す通り、第１出口２３１Ｂ及び第２出口２３２Ｂの双方から矢印ａ方向及び矢印ｂ方向に温風が吹き出される。
【００４５】
図６を参照して、乾燥モードにおいては、浴室暖房乾燥装置２の排気口が「開」とされた状態で運転される。従って、送風ファン２１が駆動されると、ドア１８のガラリ１８１を通して外気が導入される空気流Ｄ１が発生すると共に、浴室１内の空気が吸い込みグリル２７を通して浴室暖房乾燥装置２内へ取り入れられる空気流Ｄ２と、該空気流Ｄ２の一部が前記排気口を通して屋外に排出される空気流Ｄ３とが発生する。
【００４６】
一方、吹き出しグリル２３からは、異なる方向に向かう２つの温風の空気流Ｗ１、Ｗ２が発生する。空気流Ｗ１は、第１送風路２３１の第１出口２３１Ｂから吹き出される温風であって、第１ハンガーパイプ３１の架設位置を指向している。また、空気流Ｗ２は、第２送風路２３２の第２出口２３２Ｂから吹き出される温風であって、第２ハンガーパイプ３２の架設位置を指向している。これにより、第１及び第２ハンガーパイプ３１、３２の双方に掛けられている洗濯物に温風が良く吹き当たり、蒸発を促進させて乾燥効率を高めることができる。従来の電気式浴室暖房乾燥装置では、乾燥モードにおいても上記温風の空気流Ｗ１が吹き出されず、第１ハンガーパイプ３１側に掛けられた洗濯物の乾きが比較的遅かったが、本実施形態ではそのような不具合は生じない。
【００４７】
図７は、暖房運転時（暖房モード）における吹き出しグリル２３及びシャッタ部材２４の状態を示す断面図、図８は、暖房運転が実行されている状態を示すシステムバスＳの模式図である。
【００４８】
浴室暖房乾燥装置２が暖房モードを実行するとき、吹き出しグリル２３の第１入口２３１Ａの上にシャッタ部材２４のシャッタ板２４１が位置する一方で、第２入口２３２Ａの上には開口部２４２が位置するよう、シャッタ部材２４はモータ２５によって矢印ｃ方向居にスライド移動される。これにより、第１送風路２３１が閉止される一方で第２送風路２３２が開放された状態となり、図７に示す通り、第２出口２３２Ｂのみから矢印ｂ方向に温風が吹き出される。
【００４９】
図８を参照して、暖房モードにおいては、浴室暖房乾燥装置２の排気口が「閉」とされた状態で運転される。送風ファン２１が駆動されると、浴室１内の空気が吸い込みグリル２７を通して浴室暖房乾燥装置２内へ取り入れられる空気流Ｄ２が発生すると共に、吹き出しグリル２３からは、第２送風路２３２から吹き出される床面１２に向かう温風の空気流Ｗ２が発生する。従って、床面１２に居るユーザに、浴室暖房乾燥装置２が発生する風量の全てを集中的に提供することができ、暖房効率を高めることができる。
【００５０】
図９は、涼風運転時（涼風モード）における吹き出しグリル２３及びシャッタ部材２４の状態を示す断面図、図１０は、涼風運転が実行されている状態を示すシステムバスＳの模式図である。
【００５１】
浴室暖房乾燥装置２が涼風モードを実行するとき、吹き出しグリル２３の第１入口２３１Ａの上にシャッタ部材２４の開口部２４２が位置する一方で、第２入口２３２Ａの上にはシャッタ板２４１が位置するよう、シャッタ部材２４はモータ２５によって、上記暖房モードからさらに矢印ｃ方向にスライド移動される。これにより、第１送風路２３１が開放される一方で第２送風路２３２が閉止された状態となり、図９に示す通り、第１出口２３１Ｂのみから矢印ａ方向に温風が吹き出される。
【００５２】
図１０を参照して、涼風モードにおいては、浴室暖房乾燥装置２の排気口が「閉」（又は「開」）とされた状態で運転される。送風ファン２１が駆動されると、浴室１内の空気が吸い込みグリル２７を通して浴室暖房乾燥装置２内へ取り入れられる空気流Ｄ２が発生すると共に、吹き出しグリル２３からは、第１送風路２３１から吹き出される浴槽１１に向かう非加熱の空気流Ｗ１が発生する。従って、浴槽１１に入浴中のユーザに、涼風を集中的に提供することができる。なお、既述の通り、当該涼風モードの状態で電気ヒータ２２に通電させれば、上記空気流Ｗ１を温風とすることができ、浴槽１１に入浴中のユーザに暖気を提供することができる。
【００５３】
以上説明した本実施形態に係る浴室暖房乾燥装置２によれば、第１及び第２ハンガーパイプ３１、３２の双方に掛けられている洗濯物の乾燥を優先させる場合（乾燥モード）、シャッタ部材２４を開放姿勢とすることで第１及び第２送風路２３１、２３２を通して第１及び第２ハンガーパイプ３１、３２に向けて温風を向かわせることができ、洗濯物の乾燥効率を高めることができる。一方、洗い場（床面１２）に居るユーザに暖気感を与えることを優先させる場合（暖房モード）、シャッタ部材２４によって第１送風路２３１を閉止状態とすることで、第２送風路２３２を通して前記洗い場に温風の全風量を向かわせることができるので、暖房効率を高めることができる。
【００５４】
さらに、上記のような温風の風向変更を、吹き出しグリル２３の風向板をスィングさせて空気流の方向を可変とするのではなく、異なる風向となる第１送風路２３１及び第２送風路２３２を吹き出しグリル２３に具備させておき、シャッタ部材２４のスライド移動に伴う姿勢変更でこれらの送風路２３１、２３２を選択する方式を、本実施形態の浴室暖房乾燥装置２は採用しているので、モータ２５を用いた極めて簡易な駆動機構で空気流の方向を可変とすることができる利点がある。
【００５５】
以上、本発明の好ましい実施形態を説明したが、本発明はこれに限定されるものではなく、例えば次のような変形実施形態を採ることができる。
【００５６】
（１）上記実施形態では、シャッタ部材２４のスライド移動をモータ２５によって行わせる例を示した。これに代えて、前記スライド移動をユーザのマニュアル操作で行わせる機構を採用しても良い。
【００５７】
（２）上記実施形態では、吹き出しグリル２３が、異なる２つの風向の送風路（第１送風路２３１及び第２送風路２３２）を有する例を示したが、３以上の異なる風向の通風路を有していても良い。図１１は、変形実施形態に係る吹き出しグリル２３Ａ及びシャッタ部材２４Ａを示す断面図である。
【００５８】
吹き出しグリル２３Ａは、左右と真下の風向を持つ３つの通風路２３３、２３４、２３５を備える。これら通風路２３３、２３４、２３５の入口２３３Ａ、２３４Ａ、２３５Ａは比較的近接して並置され、出口２３３Ｂ、２３４Ｂ、２３５Ｂは、それぞれの風向に応じて比較的離間して並置されている。シャッタ部材２４Ａは、シャッタ板２４３と開口部２４４とを備える。シャッタ板２４３及び開口部２４４は、吹き出しグリル２３Ａの上面の入口２３３Ａ、２３４Ａ、２３５Ａの並置幅に対応した幅を有している。従って、シャッタ板２４３及び開口部２４４は、入口２３３Ａ、２３４Ａ、２３５Ａのいずれか１つ、互いに隣接する２つ、もしくは３つ全てを、開放又は閉止することが可能である。
【００５９】
図１１（Ａ）は、右側の通風路２３３のみが開放され、他の２つの通風路２３３が閉止されている状態を、図１１（Ｂ）は、全ての通風路２３３、２３４、２３５が開放されている状態を例示している。このような吹き出しグリル２３Ａ及びシャッタ部材２４によれば、風向の選択肢を拡大することができる利点がある。
【００６０】
（３）上記実施形態では、シャッタ部材２４を吹き出しグリル２３の上面にスライド移動可能に配置する例を示した。これに代えて、シャッタ部材２４を吹き出しグリル２３の下面に配置したり、吹き出しグリル２３の内部に組み付けたりする構造としても良い。また、シャッタ部材２４として、シャッタ板２４１と開口部２４２とを備える部材を例示したが、シャッタ部材は第１送風路２３１及び第２送風路２３１を個別に開放又は閉止できるものであれば良く、例えば開閉蓋を第１入口２３１Ａ及び第２入口２３２Ａにそれぞれ添設する態様としても良い。
【符号の説明】
【００６１】
Ｓ  システムバス
１  浴室
１１  浴槽（第１位置）
１２  床面（第２位置）
１３  側壁面
１３１  奥壁面（第１側壁面）
１３４  前壁面（第２側壁面）
１４  天井面
１４１  開口（吹き出し口）
２  浴室暖房乾燥装置
２０  ハウジング
２１  送風ファン（送風手段）
２２  電気ヒータ
２３  吹き出しグリル（グリル）
２３１  第１送風路
２３１Ａ  第１入口
２３１Ｂ  第１出口
２３２  第２送風路
２３２Ａ  第２入口
２３２Ｂ  第２出口
２４  シャッタ部材
２４１  シャッタ板
２４２  開口部
２５  モータ（駆動手段）
２６  制御部（制御手段）
３  ハンガーパイプ
３１  第１ハンガーパイプ（第１干し竿）
３２  第２ハンガーパイプ（第２干し竿）
【図１】
2012241924.tif 000003
【図２】
2012241924.tif 000004
【図３】
2012241924.tif 000005
【図４】
2012241924.tif 000006
【図５】
2012241924.tif 000007
【図６】
2012241924.tif 000008
【図７】
2012241924.tif 000009
【図８】
2012241924.tif 000010
【図９】
2012241924.tif 000011
【図１０】
2012241924.tif 000012
【図１１】
2012241924.tif 000013